(57)【特許請求の範囲】
【請求項１】
信号を伝送するための信号線を導電性のシールド層と軟性の外皮層とにより順次被覆された信号ケーブルの端部を所定の固定対象に固定する信号ケーブルの固定構造において、
前記信号線を挿通するとともに前記シールド層に被覆され、前記信号線と前記シールド層との間に介在される第１の管状部材と、
前記第１の管状部材を被覆した前記シールド層の被覆部分に係合するために前記シールド層の被覆部分の外径よりに小さい内径部分を形成するための段部を有し、前記第１の管状部材と前記段部との間で前記シールド層を狭持可能に前記シールド層と前記外皮層との間に介在される第２の管状部材と、
前記第２の管状部材を被覆した前記外皮層の被覆部分に係合するために前記外皮層の被覆部分の外径よりに小さい内径の突部を有し、前記第２の管状部材と前記突部との間で前記外皮層を狭持可能に前記外皮層の被覆部分を覆う第３の管状部材と
を具備したことを特徴とする信号ケーブルの固定構造。
【請求項２】
前記第２の管状部材の端面との間で、フランジ状に広げられた前記シールド層の端部を挟むように前記第２の管状部材に固定されるシールド層固定部材を更に有する
ことを特徴とする請求項１に記載の信号ケーブルの固定構造。
【請求項３】
前記第２の管状部材と前記シールド層とははんだ付けされている
ことを特徴とする請求項１に記載の信号ケーブルの固定構造。
【請求項４】
前記第２の管状部材は、前記第３の管状部材に固定されたビスに係合するための係合部を有する
ことを特徴とする請求項１に記載の信号ケーブルの固定構造。
【請求項５】
前記ビスの進退によりに前記第２の管状部材と前記第３の管状部材との間で前記外皮層を締め付ける力量が調整される
ことを特徴とする請求項４に記載の信号ケーブルの固定構造。
【発明の詳細な説明】
【０００１】
【発明の属する技術分野】
本発明は信号ケーブルの固定構造に関し、特にカメラヘッドに接続されるコネクタ等の構造部分に特徴のある内視鏡装置の信号ケーブルの固定構造に関する。
【０００２】
【従来の技術】
ケーブルの外皮層は、操作性上から屈曲柔軟性がある材質が良く、オートクレーブ滅菌対応製品などでは、耐熱性も考慮してシリコン製外皮が用いられることが増えてきている。外皮層の肉厚は、製品の要求仕様に合せて、丈夫さを優先して厚めにしたり、外径を優先して薄めにしたりすることがあるが、シリコンなどの比較的柔らかくて、裂けやすい材料の場合は、状況に応じて適切なケーブル固定方法を選択しなければならない。
【０００３】
そこで、例えば特開平５−２９３０７８号公報においては、ケーブルが挿通されている管状部材をカシメることによりケーブルを固定する方法が示されている。また、特開２０００−２３７１２８号公報においては、ケーブルをせん断する方向に力を加え固定する方法が示されている
【０００４】
【発明が解決しようとする課題】
しかしながら、上記特開平５−２９３０７８号公報の方法ではケーブルの固定は前記かしめ部で全ての力を受けているため、外皮層を薄くした場合、外皮がかしめ部分の角などで切れやすく、外皮が切断されてしまうとケーブルが抜けてしまう恐れがある。また、外皮層を厚くした場合には、引張り力などで外皮が延び、肉厚が薄くなるにつれてかしめ力が弱くなり、ケーブルが抜けてしまうという恐れがある。
【０００５】
また、特開２０００−２３７１２８号公報の方法では、前記の問題があると共に、素線径の細い信号線などでは断線の恐れがある。また、同発明には弾性部材よりなるケーブルの折れ止め部材と一緒にかしめる方法も示されているが、上記の問題は解決できない。
【０００６】
本発明は、上記事情に鑑みてなされたものであり、比較的柔らかい材料を外皮に用いた場合でも、外皮の肉厚によらず、医療機器のプローブ部分の本体部やコネクタ部からのケーブルの抜け耐性を向上させることのできる信号ケーブルの固定構造を提供することを目的としている。
【０００７】
【課題を解決するための手段】
本発明の信号ケーブルの固定構造は、信号を伝送するための信号線を導電性のシールド層と軟性の外皮層とにより順次被覆された信号ケーブルの端部を所定の固定対象に固定する信号ケーブルの固定構造において、前記信号線を挿通するとともに前記シールド層に被覆され、前記信号線と前記シールド層との間に介在される第１の管状部材と、前記第１の管状部材を被覆した前記シールド層の被覆部分に係合するために前記シールド層の被覆部分の外径よりに小さい内径部分を形成するための段部を有し、前記第１の管状部材と前記段部との間で前記シールド層を狭持可能に前記シールド層と前記外皮層との間に介在される第２の管状部材と、前記第２の管状部材を被覆した前記外皮層の被覆部分に係合するために前記外皮層の被覆部分の外径よりに小さい内径の突部を有し、前記第２の管状部材と前記突部との間で前記外皮層を狭持可能に前記外皮層の被覆部分を覆う第３の管状部材とを具備して構成される。
【０００８】
【発明の実施の形態】
以下、図面を参照しながら本発明の実施の形態について述べる。
【０００９】
図１ないし図４は本発明の第１の実施の形態に係わり、図１は内視鏡観察システムの構成を示す構成図、図２は図１のコネクタ部の構成を示す断面図、図３は図２のＡ−Ａ線断面を示す断面図、図４は図２の基板固定部材の拡大図である。
【００１０】
（構成）
図１に示すように、内視鏡観察システム１は、内視鏡２と、内視鏡２に照明光を供給する光源装置３と、内視鏡２と光源装置３の間を接続するライトガイドケーブル４と、内視鏡２に接続され、図示しない固体撮像素子（例えばＣＣＤなど）を有する内視鏡用撮像装置５と、内視鏡用撮像装置５からの信号を処理するビデオプロセッサ６と、ビデオプロセッサ６と接続され、ビデオプロセッサ６からの映像信号を表示するモニタ７とからなる。
【００１１】
内視鏡用撮像装置５は術者が把持するカメラヘッド部８と、信号ケーブル９と、コネクタ部１０とからなる。
【００１２】
図２及び図３に示すように、コネクタ部１０において、符号１４は樹脂製のコネクタ外装で、カメラヘッド部８側は信号ケーブル９が挿通され、プロセッサ６側には基板１５が収容されている。
【００１３】
基板１５のランド部１６には、信号ケーブル９がはんだ付けされている。また、基板１５は、基板固定部材１７の凸部１８に係合し、基板１５を挟んでビス止めされた押え部材１９により、基板固定部材１７と固定されている。基板固定部材１７と、コネクタ外装１４の内壁をほぼ全体的に覆った電磁シールドケース２１とは、ビス２２によってビス止めされ電気的に導通している。
【００１４】
基板固定部材１７にはケーブル挿通穴２４が設けられ、信号ケーブル９の先端部が次のように固定されている。
【００１５】
すなわち、図４に示すように、信号線２６と金属線を編んだものからなる電磁シールド層２７との間には、信号ケーブル９の固定部近傍に介在するパイプ部材２８が設けられ、シリコンゴムやＰＶＣなどからなる外皮層２３と電磁シールド層２７との間には、信号ケーブル９の固定部近傍に介在する円筒部材２９が設けられている。
【００１６】
円筒部材２９は、基板側内径に電磁シールド層２７が被覆されたパイプ部材２８が収容される段部３０を、またカメラヘッド部８側外径には外皮層２３が被覆され滑り止め部３１を有する段部３２を有する。
【００１７】
また、基板固定部材１７の内径に嵌合する円筒部材２９の外周の一部には周方向にＶ字断面の溝３３が形成され、基板固定部材１７に螺合された先尖りの固定ビス３４が係合している。
【００１８】
電磁シールド層２７は円筒部材２９の基板側端面に沿うようにフランジ状に広げられ、固定ナット３５にて固定されている。基板固定部材１７の内周のカメラヘッド部８側には、円筒部材２９を被覆した外皮層２３の被覆部分の外径より小さい内径の突部３６を有する。
【００１９】
コネクタ外装２０のカメラヘッド部８側端部は、信号ケーブル９と、略円筒状のフレーム３７との防水をとるためのパッキン３８が設けられ、締め付けナット３９によって圧縮して信号ケーブル９を締め付けている。
【００２０】
フレーム３７の後端部には、信号ケーブル９の外周を覆って保護しているゴム製の折れ止め部材４０がはめ込まれ、コネクタ外装２０の後端部に螺合されたナット部材４１によって折れ止め部材４０の周方向に設けられたシール部４２を圧縮されて挟まれている。符号４３は防水パッキンである。
【００２１】
（作用）
外皮層２３は、円筒部材２９の後端部と、基板固定部材１７内径の段部３６とによって挟まれ固定されている。また、滑り止め３１によっても抜け方向に対する固定がされている。
【００２２】
また、円筒部材２９の後端部と突部３６とによる外皮層２３を締め付ける力量は、固定ビス３４の進退によって、調整できるようになっている。
【００２３】
電磁シールド層２７は、固定ナット３５によって固定されると共に、パイプ部材２８のカメラヘッド部８側端部と、円筒部材２９内径の段部３０とにはさまれて固定されている。
【００２４】
また、電磁シールド層２７は、固定ナット３５によって締め付けられることと、パイプ部材２８とで挟まれることで円筒部材２９に電気的に接続され、円筒部材２９は、外周の勘合面と固定ビス３４によって基板固定部材１７に電気的に接続され、シールドケース２３に導通されることで、コネクタ部１０の電磁波シールドを形成している。
【００２５】
（効果）
コンパクトな構成ながら、金属性のシールド層２７で信号ケーブル９を確実に固定し、外皮は別に固定しているため、コネクタ部１０からのケーブル抜け強度を大幅に向上できる。
【００２６】
図５ないし図７は本発明の第２の実施の形態に係わり、図５はカメラヘッド部の後端部の断面図、図６は図５のカメラヘッド部に設けられるリモートスイッチの拡大図、図７は図６のスイッチの構成を示す図である。
【００２７】
第２の実施の形態は、第１の実施の形態とほとんど同じであるので、異なる点のみ説明し、同一の構成には同じ符号をつけ説明は省略する。
【００２８】
図５はカメラヘッド部８の後端部の断面図、図６，７はカメラヘッドのリモートスイッチの拡大図である。
【００２９】
（構成）
樹脂製のカメラヘッド外装１０１のコネクタ側は信号ケーブル９が挿通されている。金属製で略円筒状のフレーム１０２は、各金属製部材を経由して撮像素子（図示しない）の近傍まで電磁波シールドを形成するようになっている。
【００３０】
符号１０３は、信号線２６と電磁シールド層２７との間で、信号ケーブル９の固定部近傍に介在するパイプ部材である。
【００３１】
外皮層２３と電磁シールド層２７との間には、信号ケーブル９の固定部近傍に介在する介在する円筒部材１０４が設けられ、 円筒部材１０４は、先端側内径に、電磁シールド層２７が被覆されたパイプ部材１ ０ ３が収容される小径の段部１０５と、後端側外径には、外皮層２３が被覆され、滑り止め部１０６を有する段部１０７を有する。
【００３２】
フレーム１０２の内周に嵌合する円筒部材１０４の外周の一部には、周方向にＶ字断面の溝１０８が形成され、フレーム１０２に螺合された先尖りの固定ビス１０９が係合している。
【００３３】
電磁シールド層２７の先端は円筒部材１０４の段部１１０の面に沿うようにフランジ状に広げられ、はんだ付けされている。
【００３４】
フレーム１０２の内周の後端側には、円筒部材１０４を被覆した外皮層２３の被覆部分の外周より小さい内径の段部１１１を有する。
【００３５】
フレーム１０２の最後端部内周には、信号ケーブル９と、フレーム１０２との防水をとるためのパッキン１１２が設けられ、締め付けナット１１３によって圧縮して信号ケーブル９を締め付けている。
【００３６】
フレーム１０２の後端部外周には、信号ケーブル９の外周を覆って保護しているゴム製の折れ止め部材１１４がはめ込まれ、カメラヘッド外装１０１の後端部との間で周方向のシール部１１５を圧縮されて挟まれている。
【００３７】
図６は、カメラヘッド部８に内蔵されたリモートスイッチ３００（図１参照）の拡大図である。
【００３８】
図６において、信号ケーブル９と接続されたフレキシブル基板３０１上にはスイッチ３０２が実装され、スイッチ３０２に対応した位置の、カメラヘッド外装３０３には、スイッチ３０２を押圧するボタンユニット３０４が設けられている。
【００３９】
スイッチ３０２は、樹脂製ボディー３０７に金属接点ベース３０８が埋め込まれ、金属ドーム３０５が押圧力にて凹凸することによってスイッチのＯＮ／ＯＦＦを行う構造となっており、金属ドーム３０５が設置されている樹脂ボディー３０３の開口部は、耐熱性のフィルム３０６でふさがれている（以上、図７（ａ）、図７（ｂ）は図７（ａ）のＢ矢視図）。
【００４０】
（作用）
ゴム製で柔軟な外皮層２３は、円筒部材１０４の後端部と、フレーム１０２内径の段部１１１とによって押圧されて挟まれ、固定されている。また、滑り止め１０６によっても抜け方向に対する固定がされている。
【００４１】
電磁シールド層２７は、はんだ付けによって円筒部材１０４に固定されると共に、パイプ部材１ ０ ３の後端部と、円筒部１０４内径の段部１０５とにはさまれて固定されている。
【００４２】
また、電磁シールド層２７は、はんだ付けとパイプ部材１０３に挟まれることで円筒部材１０４に電気的に接続され、固定ビス１０９によってフレーム１０２に電気的に接続され、カメラヘッド部８の電磁シールドが形成される。
【００４３】
また、スイッチ３０２は、カメラヘッド部に設けられたボタンユニット３０４を押圧することによって、スイッチ３０２の金属ドーム３０５が押され、金属接点ベース３０４の電気的に絶縁された部分同士を電気的に接続しスイッチがＯＮとなる。その信号は信号ケーブル９を通じてプロセッサ６に送られる。さらに、フィルム３０６は実装時のハンダフラックスのスイッチ３０２内部への侵入を防御すると共に、カメラヘッド部８に侵入した湿気などから金属接点を保護する。
【００４４】
（効果）
電磁シールド層２７を、円筒部材２９にはんだ付けしているため、電磁シールドの導通がより確実なものとなる。
【００４５】
【発明の効果】
以上説明したように本発明によれば、比較的柔らかい材料を外皮に用いた場合でも、外皮の肉厚によらず、医療機器のプローブ部分の本体部やコネクタ部からのケーブルの抜け耐性を向上させることができるという効果がある。
【図面の簡単な説明】
【図１】図４は本発明の第１の実施の形態に係る内視鏡観察システムの構成を示す構成図
【図２】図１のコネクタ部の構成を示す断面
【図３】図２のＡ−Ａ線断面を示す断面図
【図４】図２の基板固定部材の拡大図
【図５】本発明の第２の実施の形態に係るカメラヘッド部の後端部の断面図
【図６】図５のカメラヘッド部に設けられるリモートスイッチの拡大図
【図７】図６のスイッチの構成を示す図
【符号の説明】
１…内視鏡観察システム
２…内視鏡
３…光源装置
４…ライトガイドケーブル
５…内視鏡用撮像装置
６…ビデオプロセッサ
７…モニタ
８…カメラヘッド部
９…信号ケーブル
１０…コネクタ部
１４…コネクタ外装
１５…基板
１６…ランド部
１７…基板固定部材
１８…凸部
１９…押え部材
２１…電磁シールドケース
２２…ビス
２３…外皮層
２４…挿通穴
２６…信号線
２７…電磁シールド層
２８…パイプ部材
２９…円筒部材
３０，３２，３６…段部
３１…滑り止め部
３３…溝
３４…固定ビス
３５…固定ナット
３７…フレーム
３８…パッキン
３９…締め付けナット
４０…折れ止め部材
４１…ナット部材
４２…シール部
４３…防水パッキン
【図１】
0003742620.tif 000002
【図２】
0003742620.tif 000003
【図３】
0003742620.tif 000004
【図４】
0003742620.tif 000005
【図５】
0003742620.tif 000006
【図６】
0003742620.tif 000007
【図７】
0003742620.tif 000008